(57)【要約】【課題】  読み取り手段を２個有し、両面同時読み取りを行う原稿処理装置において、片面読み取り時に原稿を重ね合わせて２枚同時に読み取ることで、片面原稿の生産性を向上させる。【解決手段】  原稿を分離する第１分離部と、第１分離部と反方向に原稿を分離する第２分離部、第１分離部から読み取り部へと原稿を導く第１搬送パス、第２分離部から読み取り部へと原稿を導く第２搬送パス・上下一対の読み取り手段を有する読み取りパス、読み取りパスから分岐する第１および第２排紙パス以上から構成され読み取り部上流で搬送パスが合流し、原稿を重ねて読み取りをおこなうことを特徴とする。【選択図】  図１
2006217032.tif 000002
【特許請求の範囲】
【請求項１】
シートを積載するシート積載部と、
シート積載部に積載されたシートを１枚ずつ繰り出す第１のシート分離手段と、
シート積載部に積載されたシートを、第１のシート分離部により搬送される方向とは逆方向に１枚ずつ繰り出す第２のシート分離手段と、
第１のシート分離手段により搬送されたシートを、シート表裏の向きを変えずに、読み取り手段を備えたシート読み取り経路に搬送する第１のシート搬送経路と、
第２のシート分離手段により搬送されたシートを、シート表裏を反転させてシート読み取り経路に搬送する第２のシート搬送経路と、
シート読み取り経路に設けられ、シート上の情報を読み取る第１の読み取り手段と、
シート読み取り経路に設けられ、第１の読み取り手段で読み取るシート面とは反対面の情報を読み取る第２の読み取り手段と、
第１のシート搬送経路と第２のシート搬送経路は、第１および第２の読み取り手段より搬送方向上流で読み取り経路に合流し、
第１の搬送経路を通り、シート読み取り経路に搬送されたシートを排出する第１のシート排紙経路と、
第２の搬送経路を通り、シート読み取り経路に搬送されたシートを排出する第２のシート排紙経路と、
第１のシート排紙経路と第２のシート排紙経路は、第１および第２の読み取り手段より搬送方向下流で読み取り経路から分岐し、
第１のシート排紙経路および第２のシート排紙経路から排出されたシートを積載するシート排紙部と、
から構成される画像読み取り装置において、
シート積載部に積載されたシートを、シート束の最上紙が第１のシート分離部により搬送された後、第２のシート分離部により先行シートとは反対方向に搬送し、再び第１のシート分離部により、先の第２のシート分離部により搬送したのとは逆方向に搬送する動作を繰り返し、交互に第１および第２のシート搬送部へと搬送し、
シート読み取り経路内で第１および第２のシート搬送経路から交互に送られてくるシートを重ね合わせ、第１および第２の読み取り手段により、重なり合った各シート上の情報を同時に読み取ることを特徴とする画像読み取り装置。
【請求項２】
シート読み取り経路から第１のシート排紙経路と第２のシート排紙経路へと分岐する位置に設けられた切り替え手段と、
切り替え手段に設けられ、切り替え手段が第２の排紙経路を塞ぐ位置に移動した時に少なくとも先行する１枚のシートだけが搬送される最小シート搬送幅を保持する突き当て部と、
第２の搬送経路内に形成され、切り替え手段が第２の排紙経路を塞ぐ位置に移動した時、切り替え手段と共に先行シートを搬送する搬送路を形成するガイド部を有し、
上面に先行シート、下面に後続シートが重なり合った状態でシートを第２の排紙経路に搬送し、先行シート先端部が通過した後、切り替え手段で先行シートをガイド部側へ押し込み、第２の排紙経路幅をシートの搬送が可能な最小幅だけ残して塞ぐことで、先行シートは第２の搬送経路をそのまま搬送し、後続シートの先端部は第１の排紙経路へと導くことを特徴とする請求項１記載の画像読取装置。
【請求項３】
両面原稿読み取り時は、シート積載部に積載されたシートを１枚ずつ繰り出す第１のシート分離手段と、
第１のシート分離手段により搬送されたシートを、シート表裏の向きを変えずに、読み取り手段を備えたシート読み取り経路に搬送する第１のシート搬送経路と、
シート読み取り経路に設けられ、シート上の情報を読み取る第１の読み取り手段と、
シート読み取り経路に設けられ、第１の読み取り手段で読み取るシート面とは反対面の情報を読み取る第２の読み取り手段と、
第１の搬送経路を通り、シート読み取り経路に搬送されたシートを排出する第１のシート排紙経路と、
第１のシート排紙経路から排出されたシートを積載するシート排紙部とを用い、
読み取り経路内を搬送される両面原稿の情報を第１の読み取り手段および第２の読み取り手段で同時に読み取ることを特徴とする請求項１記載の画像読み取り装置。
【請求項４】
シート表裏の向きを変えずに、読み取り手段を備えたシート読み取り経路に搬送する第１のシート搬送経路と、
シート表裏を反転させてシート読み取り経路に搬送する第２のシート搬送経路と、
第１のシート搬送経路と第２のシート搬送経路は、第１および第２の読み取り手段より搬送方向上流で読み取り経路に合流し、
シート読み取り経路に設けられ、シート上の情報を読み取る第１の読み取り手段と、
シート読み取り経路に設けられ、第１の読み取り手段で読み取るシート面とは反対面の情報を読み取る第２の読み取り手段と、
から構成される画像読み取り装置において、
第１のシート搬送経路から送られてくるシートと、第２のシート搬送経路から送られてくるシートとを重ね合わせ、第１および第２の読み取り手段により、重なり合った各シート上の情報を同時に読み取ることを特徴とする画像読み取り装置。
【発明の詳細な説明】
【技術分野】
【０００１】
本発明は、例えば、スキャナ、複写機、プリンタ、あるいは、ファクシミリ装置などの、原稿の画像を読み取る画像読取装置及びこの画像読取装置を備えた画像形成装置に関する。
【背景技術】
【０００２】
図４は従来技術に係る両面同時読み取りを行う画像読取装置の概略断面図である。
【０００３】
画像読取装置の原稿トレイ101に置かれた原稿102は、給紙ローラ103および分離ローラ対104によって分離搬送される。続いて原稿搬送手段としての搬送ローラ対105，106，107によって正転搬送され、原稿の一方の面は一面目の第１の読取部としての読み取り部110aと、原稿の他方の面は二面目の第２の読取部としての読み取り部110bを通過する。
【０００４】
各読み取り部には透明な搬送ガイドが用いられており、光路が遮られないように構成されている。そして、排紙ローラ対108によって排紙トレイ9に裏面排紙される。これにより、原稿積載時の順番が守られる。
【０００５】
片面読み取りの場合は、原稿102は一面目の読み取り部110aの通過時に、第１の走査光学部としての一面目の読み取り手段111に配置された光源としての照明ランプ112と反射笠113によって照らされ、画像が第３ミラー114によって反射され、レンズ115により集光され、光学情報読取素子としてのＣＣＤセンサ116で結像される。
【０００６】
次の原稿に対しても、以上の動作を繰り返し行うことで連続して画像読み取りを行う。
【０００７】
また、両面画像の読み取りの場合は、まず原稿が一面目の読み取り部110aを通過中に一面目の読み取り手段111に配置された照明ランプ112と反射笠113によって照らされ、画像が第３ミラー114によって反射され、第１のレンズ115により集光され、ＣＣＤセンサ116で結像される。
【０００８】
続いて、原稿が二面目の読み取り部110bを通過中に、第２の走査光学部としての二面目の読み取り手段117によって画像の読み取りを行う。
【０００９】
又、別の従来例としては、例えば特許文献１をあげることが出来る。
【特許文献１】特開平11-2928号公報
【発明の開示】
【発明が解決しようとする課題】
【００１０】
しかしながら、従来の両面同時読み取りを行う画像読取装置では、画像読取装置の生産性は原稿分離速度によって規定されるために、片面・両面原稿を高速読み込みする為には画像読取装置自体の生産性を上げなくてはならない。
【００１１】
また、片面原稿の読み取り動作では第２の走査光学部としての二面目の読み取り手段は使用されないため、装置として生産性をアップさせるのではなく、この使用されない読み取り手段を用いて両面同時読み取りでの片面原稿の生産性を向上させる最適構成を考案する必要があった。
【課題を解決するための手段】
【００１２】
本発明では以上の問題を解決するために、次のような構成をとっている。
【００１３】
シートを積載するシート積載部と、
シート積載部に積載されたシートを１枚ずつ繰り出す第１のシート分離手段と、
シート積載部に積載されたシートを、第１のシート分離部により搬送される方向とは逆方向に１枚ずつ繰り出す第２のシート分離手段と、
第１のシート分離手段により搬送されたシートを、シート表裏の向きを変えずに、読み取り手段を備えたシート読み取り経路に搬送する第１のシート搬送経路と、
第２のシート分離手段により搬送されたシートを、シート表裏を反転させてシート読み取り経路に搬送する第２のシート搬送経路と、
第１のシート搬送経路と第２のシート搬送経路は、第１および第２の読み取り手段より搬送方向上流で読み取り経路に合流し、
シート読み取り経路に設けられ、シート上の情報を読み取る第１の読み取り手段と、
シート読み取り経路に設けられ、第１の読み取り手段で読み取るシート面とは反対面の情報を読み取る第２の読み取り手段と、
第１の搬送経路を通り、シート読み取り経路に搬送されたシートを排出する第１のシート排紙経路と、
第２の搬送経路を通り、シート読み取り経路に搬送されたシートを排出する第２のシート排紙経路と、
第１のシート排紙経路と第２のシート排紙経路は、第１および第２の読み取り手段より搬送方向下流で読み取り経路から分岐し、
第１のシート排紙経路および第２のシート排紙経路から排出されたシートを積載するシート排紙部と、
から構成される画像読み取り装置において、
シート積載部に積載されたシートを、シート束の最上紙が第１のシート分離部により搬送された後、第２のシート分離部により先行シートとは反対方向に搬送し、再び第１のシート分離部により、先の第２のシート分離部により搬送したのとは逆方向に搬送する動作を繰り返し、交互に第１および第２のシート搬送部へと搬送し、
シート読み取り経路内で第１および第２のシート搬送経路から交互に送られてくるシートを重ね合わせ、第１および第２の読み取り手段により、重なり合った各シート上の情報を同時に読み取ることを特徴とする。
【００１４】
また、シート読み取り経路から第１のシート排紙経路と第２のシート排紙経路へと分岐する位置に設けられた切り替え手段と、
切り替え手段に設けられ、切り替え手段が第２の排紙経路を塞ぐ位置に移動した時に少なくとも先行する１枚のシートだけが搬送される最小シート搬送幅を保持する突き当て部と、
第２の搬送経路内に形成され、切り替え手段が第２の排紙経路を塞ぐ位置に移動した時、切り替え手段と共に先行シートを搬送する搬送路を形成するガイド部を有し、
上面に先行シート、下面に後続シートが重なり合った状態でシートを第２の排紙経路に搬送し、先行シート先端部が通過した後、切り替え手段で先行シートをガイド部側へ押し込み、第２の排紙経路幅をシートの搬送が可能な最小幅だけ残して塞ぐことで、先行シートは第２の搬送経路をそのまま搬送し、後続シートの先端部は第１の排紙経路へと導くことを特徴とする。
【００１５】
また、両面原稿読み取り時は、シート積載部に積載されたシートを１枚ずつ繰り出す第１のシート分離手段と、
第１のシート分離手段により搬送されたシートを、シート表裏の向きを変えずに、読み取り手段を備えたシート読み取り経路に搬送する第１のシート搬送経路と、
シート読み取り経路に設けられ、シート上の情報を読み取る第１の読み取り手段と、
シート読み取り経路に設けられ、第１の読み取り手段で読み取るシート面とは反対面の情報を読み取る第２の読み取り手段と、
第１の搬送経路を通り、シート読み取り経路に搬送されたシートを排出する第１のシート排紙経路と、
第１のシート排紙経路から排出されたシートを積載するシート排紙部とを用い、
読み取り経路内を搬送される両面原稿の情報を第１の読み取り手段および第２の読み取り手段で同時に読み取ることを特徴とする。
【００１６】
また、シート表裏の向きを変えずに、読み取り手段を備えたシート読み取り経路に搬送する第１のシート搬送経路と、
シート表裏を反転させてシート読み取り経路に搬送する第２のシート搬送経路と、
第１のシート搬送経路と第２のシート搬送経路は、第１および第２の読み取り手段より搬送方向上流で読み取り経路に合流し、
シート読み取り経路に設けられ、シート上の情報を読み取る第１の読み取り手段と、
シート読み取り経路に設けられ、第１の読み取り手段で読み取るシート面とは反対面の情報を読み取る第２の読み取り手段と、
から構成される画像読み取り装置において、
第１のシート搬送経路から送られてくるシートと、第２のシート搬送経路から送られてくるシートとを重ね合わせ、第１および第２の読み取り手段により、重なり合った各シート上の情報を同時に読み取ることを特徴とする。
【発明の効果】
【００１７】
以上に示したように本発明によれば、１つのパスで両面同時読みを行う構成の画像読み取り装置において、原稿を重ね合わせて上下の読み取り装置で読み取り動作を行うことができ、片面原稿の生産性を向上させることができる。
【発明を実施するための最良の形態】
【００１８】
（実施例１）
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００１９】
本発明の実施による画像読み取り装置101の断面図を図１に、片面原稿の通紙順序を図２に示し、片面原稿の搬送方法を説明する。
【００２０】
まず、本実施例における原稿積載部Aおよび第１の原稿分離部B、第２の原稿分離部Cの動作について説明する。
【００２１】
原稿積載部Aは、給紙トレイ１を有し給紙トレイ１の面上に原稿を表面積載する。
【００２２】
第１の原稿分離部Bは、第１ピックアップローラ２が給紙トレイ１上に積載された原稿束を第１分離ローラ対（３ａ、３ｂ）へ引き込み、第１給紙ローラ３ａと第１リタードローラ３ｂにより原稿束の最上紙を１枚分離し、第１レジストローラ４へと搬送する。
【００２３】
第１レジストローラ４は原稿先端の到着時には停止しており、第１給紙ローラ３ａの搬送によりループを形成して斜行補正をした後に、原稿を第１の搬送パスへと搬送する。そして、第１の搬送パス５に搬送された原稿は、原稿トレイ１にセットされた向きとは表裏反転して読み取り部Dへと搬送される。
【００２４】
次に、第１の原稿分離部により最上紙である１枚目の原稿が搬送され、第２の原稿分離部Cの第２ピックアップローラ６から１枚目の後端が抜けた後、第２ピックアップローラ6が給紙トレイ1上に積載された原稿束の２枚目を、１枚目とは反対方向にある分離ローラ対（７a、７b）に引き込み、第２給紙ローラ７aと、第２リタードローラ７bにより１枚に分離して、第２レジストローラ８へと搬送する。
【００２５】
第２レジストローラ８は、第１レジストローラ４と同様に原稿先端の到着時には停止しており、第２給紙ローラ７ａの搬送によりループを形成して斜行補正をした後に、原稿を第２の搬送パス９へと搬送する。そして、第２の搬送パス９に搬送された原稿は、原稿トレイ１にセットされた向きと同じ向きになるように読み取り部Dへと搬送される。
【００２６】
次に、再び２枚目の原稿後端が第１ピックアップローラ２を抜けた後、１枚目と同様に第１分離部Bは分離とレジスト補正を行い３枚目の原稿を第１の搬送パスへと搬送する。
【００２７】
第１の原稿分離部Bと第２の原稿分離部Cはこれら一連の動作を繰り返し、原稿を第１の搬送パス５と第２の搬送パス９に交互に搬送していく。
【００２８】
次に、原稿トレイ１に積載された最上紙である１枚目の原稿の搬送について説明する。
【００２９】
第１の搬送パス５により表裏反転搬送された１枚目の原稿は、上流搬送ローラ１１、下流搬送ローラ１２に搬送され読み取りパス１０を通過する。このとき読み取りパス１０の下方には第１の分離部から搬送されてきた原稿上の画像情報を読み取るための第１の読み取り装置１３と、その対向側に図示しない反射板が設けられており、ここで１枚目の画像読み取り動作を行い、第１の原稿排紙部Eへと搬送される。
【００３０】
第１の原稿排紙部Eは排紙ローラ１５を有し、読み取り部Dから搬送された原稿を排紙トレイ１７へそのまま裏面排紙する。
【００３１】
次に、第１の搬送パス５と第２の搬送パス９に交互に搬送される２枚目以降の原稿について説明する。
【００３２】
第２の原稿分離部Cにより搬送された２枚目の原稿は、第２搬送パス９で加速搬送され読み取り部Dへと搬送される。このときの第２搬送パス９の搬送速度は、第１搬送パスの搬送速度より早く設定されており、３枚目の原稿より早く読み取り部Dへと到達する。
【００３３】
３枚目の原稿は第１の搬送パス５を搬送され、２枚目の原稿より少し遅れて読み取り部Dへと搬送される。第１の搬送パス５と第２の搬送パス９の合流地点は読み取り部Dの上流側に設けられており、読み取りパス１０では２枚目の原稿と３枚目の原稿が、２枚目が少し先行した状態で重なりあって搬送される。このとき２枚目の原稿の画像面は上方を向いており、３枚目の原稿の画像面は下方を向いている。
【００３４】
このとき読み取りパス１０の下方には第１の分離部Bから搬送されてきた原稿上の画像情報を読み取るための第１の読み取り装置１３と、その対向側に図示しない反射板が設けられ、読み取りパス１０の上方には第２の分離部から搬送されてきた原稿上の画像情報を読み取るための第２の読み取り装置１４、その対向側に図示しない反射板が設けられている。
【００３５】
それにより、２枚目の原稿の画像は第２の読み取り装置１４が、３枚目の画像は第１の読み取り装置１３が読み取ることで重なり合った原稿上の画像情報を同時に読み込むことが可能となっている。このときの読み取り速度は、第１読み取り装置１３と第２読み取り装置１４が等速もしくは、第２読み取り装置１４の方が速く設定されている。
【００３６】
読み取り部Ｄを通過した原稿は、まず先行する２枚目の原稿が第２の原稿排紙部Ｆ内の第２の排紙パス１６へと導かれる。先端通過後、フラッパー１８が第２の第２の排紙パス１６を塞ぐように閉じ、先行する２枚目の原稿だけを第２の原稿排紙部Ｆに通し、遅れてくる３枚目の原稿先端を第１の原稿排紙部Ｅ内の第１の排紙パス１５へと導かれるようにする。
【００３７】
第２の排紙パス１６へ搬送された２枚目の原稿は、読み取り終了後に加速されて第２排紙ローラ２０により排紙トレイ１７へと排出される。このとき２枚目の原稿先端は３枚目の原稿先端より早く排紙トレイ１７上に到達しなくてはならない。
【００３８】
２枚目先端が第１の原稿排紙部Ｅの排紙口を超えると、３枚目の原稿は第１排紙パス１５を通って第１排紙ローラ１９により排紙トレイ１７に排出される。
【００３９】
次に、４枚目、５枚目以降の原稿の順序を図２に示した図を参考に説明する。
【００４０】
４枚目と５枚目の原稿は、上述した２枚目と３枚目の原稿と同様に、第２搬送パス９から４枚目が先行して読み取り部Ｄへ搬送され、４枚目に少し遅れて第１搬送パス５から５枚目の原稿が読み取り部Ｄへと搬送されてくる。
【００４１】
このとき、４枚目の原稿先端が先行する３枚目の原稿後端に対してオーバーラップするかどうかは、第２の搬送パス９の長さおよび加速時間によるが、本実施例ではわずかに間隔を空けて搬送する構成とする。ただし、第２の搬送パス９のパス長を短く、加速を十分に速くして３枚目と４枚目も重ねて搬送する構成でもよい。
【００４２】
したがって図のように読み取り部Ｄを通る原稿は、１枚目が画像面下向きで読み取り装置１３に読み取られ、２枚目が画像面上向きで読み取り装置１４に読み取られ、２枚目にオーバーラップして３枚目が画像面下向きで読み取り装置１３で読み取られ、少し紙間を空けて４枚目が画像面画像面上向きで読み取り装置１４に読み取られ、４枚目にオーバーラップして５枚目が画像面下向きで読み取り装置１３で読み取られるという動作を繰り返す構成になっている。
【００４３】
次に、本発明の実施による両面原稿の搬送方法を説明する。
【００４４】
両面原稿搬送時は片面原稿搬送時の奇数面（１、３、５・・・）枚目と同様の動作で搬送され、第２原稿分離部Ｃおよび第２原稿排紙部Ｆは使用しない。
【００４５】
第１原稿分離部Bは、第１ピックアップローラ２が給紙トレイ１上に積載された原稿束を第１分離ローラ対（３ａ、３ｂ）へ引き込み、第１給紙ローラ３ａと第１リタードローラ３ｂにより原稿束の最上紙を１枚分離し、第１レジストローラ４へと搬送する。
【００４６】
第１レジストローラ４は原稿先端の到着時には停止しており、第１給紙ローラ３ａの搬送によりループを形成して斜行補正をした後に、原稿を第１の搬送パスへと搬送する。そして、第１の搬送パス５に搬送された原稿は、原稿トレイ１にセットされた向きとは表裏反転して読み取り部Dへと搬送される。
【００４７】
読み取り部Ｄへと表裏反転搬送された原稿は、上流搬送ローラ１１、下流搬送ローラ１２に搬送され読み取りパス１０を通過する。このとき読み取りパス１０の下方には第１の分離部から搬送されてきた原稿表面の画像情報を読み取るための第１の読み取り装置１３と、その対向側に図示しない反射板が設けられており、更に読み取り装置１３の下流に、原稿裏面の画像情報を読み取るための第２の読み取り装置１４が読み取りパス１０の上方に、その対向側に図示しない反射板が設けられている。両面原稿はここで表裏の画像読み取り動作を行い、第１の原稿排紙部Eへと搬送される。
【００４８】
第１の原稿排紙部Eは搬送された原稿を第１排紙ローラ１９で排紙トレイ１７上に裏面排出する。
【００４９】
この動作を繰り返し両面原稿の画像を読み取り動作を行う。
【００５０】
次に本発明の実施によるフラッパーの構成を図３に示し、重ね合わせ原稿の分離方法について説明する。
【００５１】
（３−１）は先行原稿αが第２の排紙パス１６に突入したときのフラッパー１８の位置を示している。２枚目、４枚目、６枚目・・・の偶数ページが先行原稿αであり、３枚目、５枚目、７枚目・・・の奇数ページが後続原稿βを示す。先行原稿αを第２の排紙パス１６に搬送するときは、フラッパー１８が下がり第１の排紙パス１５への経路を塞いで原稿を導く。
【００５２】
（３−２）は後続原稿βが第１の搬送パスに導かれるときのフラッパー１８の位置を示している。後続原稿βの先端が下流搬送ローラを抜けたとき、フラッパー１８が上昇して第２の排紙パス１６への経路を遮断する。このとき第２の排紙パス１６入り口には屈曲部２１が形成されており、フラッパー１８が上昇して先行原稿αを屈曲部２１側に押し込み紙と紙の間に隙間を作り、後続原稿βの先端と先行原稿とを分離する。このとき下流搬送ローラ１２は第１の排紙パスに対し水平なニップを形成しているため、後続原稿β先端は水平方向に搬送される力を受けるので更に原稿を分離する効果が得られる。また、フラッパー１８にはストッパー２２が設けられており、先行原稿αを搬送するだけの最小パス間は確保しているので、先行原稿αに対し過負荷を与えることなく搬送することができる。
【００５３】
また、（３−３）のようにフラッパー先端に突き当てコロ２３を配し軽圧で付勢する構成にしてもよい。
【図面の簡単な説明】
【００５４】
【図１】本発明の実施例における画像読み取り装置の断面図。
【図２】本発明の実施例における原稿搬送順序。
【図３】本発明の実施例における原稿分離機構説明図。
【図４】従来例断面図。
【符号の説明】
【００５５】
１  給紙トレイ
２  第１ピックアップローラ
３ａ  第１分離ローラ
３ｂ  第１リタードローラ
４  第１レジストローラ
５  第１の搬送パス
６  第２ピックアップローラ
７ａ  第２分離ローラ
７ｂ  第２リタードローラ
８  第２レジストローラ
９  第２の搬送パス
１０  読み取りパス
１１  上流搬送ローラ
１２  下流搬送ローラ
１３  第１の読み取り装置
１４  第２の読み取り装置
１５  第１の排紙パス
１６  第２の排紙パス
１７  排紙トレイ
１８  フラッパー
１９  第１排紙ローラ
２０  第２排紙ローラ
２１  屈曲部
２２  突き当て部
２３  突き当てコロ
Ａ  原稿積載部
Ｂ  第１の原稿分離部
Ｃ  第２の原稿分離部
Ｄ  読み取り部
Ｅ  第１の原稿排紙部
Ｆ  第２の原稿排紙部
【図１】
2006217032.tif 000003
【図２】
2006217032.tif 000004
【図３】
2006217032.tif 000005
【図４】
2006217032.tif 000006